(57)【要約】【課題】  負イオンの頭髪への利用【解決手段】  珊瑚利用負イオン発生手段10からの負イオンが導管21と負イオン放出頭髪カプセル22からなる負イオン振りかけ手段20へ送られる。上記負イオン発生手段10は、着脱水容器12ａに収納された珊瑚セラミック粒集合体11ａを超音波発振器13の超音波振動で水と反応させアルカリイオン水を作る。この超音波発振器13は、このイオン水にもその超音波振動を与え、このイオン水を負イオンの霧滴Ａにする。負イオン霧滴収納室14ａ内に設けられた円筒14ｃにより形成された負イオン霧滴通路14ｂを、ファンＦが上記負イオン霧滴Ａを螺旋状に送風する。上記着脱水容器12と上記超音波発振器13との間には水路15があり、上記イオン水が上記超音波発振器13が存在する負イオン霧滴収納室14ａの下部の貯留部14ｄに注がれる。【選択図】  図１
2006239209.tif 000002
【特許請求の範囲】
【請求項１】
下記のサンゴ利用マイナスイオン発生手段、該サンゴ利用マイナスイオン発生手段からマイナスイオンを送る導管、該導管の解放端に設けられたマイナスイオン放出頭髪カプセル、より構成されることを特徴とした珊瑚から発生のマイナスイオンを頭髪に放出する育毛装置。
上記のサンゴ利用マイナスイオン発生手段は、風化珊瑚粉を焼成して造成された珊瑚セラミック、該珊瑚セラミックを収納する送水調整バルブ付の着脱水容器、該着脱水容器内で上記の珊瑚セラミックに超音波振動を与え水と反応させアルカリイオン水を作ると同時にこのアルカリイオン水にもその超音波振動を与えこのアルカリイオン水を霧滴化する超音波発振器、より成る。
【請求項２】
下記のサンゴ利用マイナスイオン発生手段、該サンゴ利用マイナスイオン発生手段からマイナスイオンを送る導管、該導管の解放端に設けられたマイナスイオン放出頭髪カプセル、より構成されることを特徴とした珊瑚から発生のマイナスイオンを頭髪に放出する育毛装置。
上記のサンゴ利用マイナスイオン発生手段は、風化珊瑚粉を焼成して造成された珊瑚セラミック、該珊瑚セラミックを収納する送水調整バルブ付の着脱水容器、該着脱水容器内で上記の珊瑚セラミックに超音波振動を与え水と反応させアルカリイオン水を作ると同時にこのアルカリイオン水にもその超音波振動を与えこのアルカリイオン水を霧滴化する超音波発振器、該超音波発振器により霧滴化されたアルカリイオン水を収納するマイナスイオン霧滴収納室、該マイナスイオン霧滴収納室内に設けられた円筒により形成されたマイナスイオン霧滴通路、該マイナスイオン霧滴通路に上記のマイナスイオン霧滴を螺旋状に上昇させるように送風するファン、より成る。
【発明の詳細な説明】
【技術分野】
【０００１】
本発明は、広くは医療機器の育毛装置に関するものであり、特に髪の毛の若返りに関するものである。就中、珊瑚から強力なマイナスイオンを発生させて、頭髪に放出することにより育毛を図る装置に関するものである。
【背景技術】
【０００２】
年をとるとともに頭髪はやせおとろえて、生気が失われる。そして、やがては脱毛したまま禿げてさえしまう。それで、育毛剤が盛んに使用されている。この育毛剤に変えて、生理機能を活性化するマイナスイオンの利用が考えられる。
【特許文献１】特許第３５８０４８７号公報
【発明の開示】
【発明が解決しようとする課題】
【０００３】
解決しようとする問題点は、焼成風化珊瑚利用の強力なマイナスイオン発生手段の頭髪への利用である。
【課題を解決するための手段】
【０００４】
本発明にかかる珊瑚から発生のマイナスイオンを頭髪に放出する育毛装置は、以上の課題を解決するために、風化珊瑚を焼成して作成した珊瑚セラミックを水中で外力たる超音波を作用させてアルカリイオン水を発生させ、それを霧滴化してそのマイナスイオンの霧滴を頭髪にカプセルでかけるものである。
とした。
【０００５】
以下に、本発明にかかる珊瑚から発生のマイナスイオンを頭髪に放出する育毛装置の具体的な構成を詳細に記載する。最初に、本発明の請求項１に記載した発明の構成を説明する。この発明は、まず、下記のサンゴ利用マイナスイオン発生手段がある。つぎに、導管がある。この導管は、上記のサンゴ利用マイナスイオン発生手段からマイナスイオンを送るものである。そして、マイナスイオン放出頭髪カプセルがある。このマイナスイオン放出頭髪カプセルは、上記の導管の解放端に設けられたものである。
【０００６】
しかして、上記のサンゴ利用マイナスイオン発生手段は、以下のごとくに構成されている。まず、珊瑚セラミックがある。この珊瑚セラミックは、風化珊瑚粉を焼成して造成されたものである。つぎに、着脱水容器がある。この着脱水容器は、上記の珊瑚セラミックを収納する送水調整バルブ付のものである。
【０００７】
そして、超音波発振器がある。この超音波発振器は、上記の着脱水容器内で上記の珊瑚セラミックに超音波振動を与え水と反応させアルカリイオン水を作るものである。と同時に、この超音波発振器は、このアルカリイオン水にもその超音波振動を与え、このアルカリイオン水をマイナスイオンの霧滴にするものである。
【０００８】
つぎに、本発明にかかるの請求項２に記載した発明の構成を説明する。この発明は、以下の点以外は上記の請求項１の発明の構成と同一である。それゆえに、上記の請求項１の発明の構成の説明の全文をここに援用して、以下の構成の説明をこれに追加する。この発明と上記の請求項１の発明の構成との差異は、以下の構成からなる小イオン選別手段の存在である。すなわち、この小イオン選別手段は、まず、マイナスイオン霧滴収納室がある。このマイナスイオン霧滴収納室は超音波発振器により霧滴化されたアルカリイオン水を収納するものである。つぎに、マイナスイオン霧滴通路がある。このマイナスイオン霧滴通路は、上記のマイナスイオン霧滴収納室内に設けられた円筒により形成されたものである。そして、ファンがある。このファンは、上記のマイナスイオン霧滴通路に上記のマイナスイオン霧滴を螺旋状に上昇させるように送風するものである。
【発明の効果】
【０００９】
本発明にかかる珊瑚から発生のマイナスイオンを頭髪に放出する育毛装置は、以上のごとくになしたゆえに、上記の課題を解決して以下のごとき多大な効果が生じた。すなわち、整理活性化をして、薬剤によらない育毛を果たした。
【発明を実施するための最良の形態】
【００１０】
頭髪の育毛と言う目的を、焼成風化珊瑚というマイナスイオンを強烈に発生させることが出来る手段を用いて、マイナスイオンで生理機能活性化を果たした。
【実施例１】
【００１１】
しかして、本発明にかかる珊瑚から発生のマイナスイオンを頭髪に放出する育毛装置をその具体的な実施例を用いて添付の図面と共に詳細に述べる。この発明は、まず、下記のサンゴ利用マイナスイオン発生手段１０がある。つぎに、美容院で髪にパーマネントウェーブをかけるときに頭にかぶせるカプセルの様な形状のマイナスイオン振りかけ手段２０がある。これは、まず導管２１がある。この導管２１は、上記のサンゴ利用マイナスイオン発生手段１０からマイナスイオンを送るものである。そして、マイナスイオン放出頭髪カプセル２２がある。このマイナスイオン放出頭髪カプセル２２は、上記の導管２１の解放端２１ａに設けられたものである。そして、上記のマイナスイオン放出頭髪カプセル２２を保持する保持台２３がある。
【００１２】
一方、上記のサンゴ利用マイナスイオン発生手段１０は、以下のごとくに構成されている。まず、珊瑚セラミックカートリッジ１１の下端に収納された珊瑚セラミック粒集合体１１ａがある。この珊瑚セラミック粒集合体１１は、風化珊瑚粉を焼成して造成されたものである。つぎに、着脱水容器１２がある。この着脱水容器１２は、上記の珊瑚セラミック粒集合体１１ａを収納するものであり、送水調整バルブ１２ａ付のものである（この着脱水容器１２は実際はスリムなものであるが、図面では説明上拡大して記載した）。そして、超音波発振器１３（1.6 〜 2.8ＭＨｚ）がある。この超音波発振器１３は、上記の着脱水容器内１２で上記の珊瑚セラミック粒集合体１１に超音波振動を与え水と反応させアルカリイオン水を作る。と同時に、この超音波発振器１３は、このアルカリイオン水にもその超音波振動を与え、このアルカリイオン水をマイナスイオンの霧滴Ａにするものである。
【００１３】
さらに、小イオン選別手段１４がある。この小イオン選別手段１４は以下のごとくになっている。まず、マイナスイオン霧滴収納室１４ａがある。このマイナスイオン霧滴収納室１４ａは超音波発振器１３により霧滴化されたアルカリイオン水（マイナスイオン霧滴Ａ）を収納するものである。そして、マイナスイオン霧滴通路１４ｂがある。このマイナスイオン霧滴通路１４ｂは、上記のマイナスイオン霧滴収納室１４ａ内に設けられた円筒１４ｃにより形成されたものである。最後に、ファンＦがある。このファンＦは、上記のマイナスイオン霧滴通路１４ｂに上記のマイナスイオン霧滴Ａを螺旋状に上昇させるように送風するものである。なお、上記の着脱水容器１２と上記の超音波発振器１３との間には水路１５があって、アルカリイオン水はここを通って上記の超音波発振器１３が存在するマイナスイオン霧滴収納室１４ａの下部の水域である貯留部１４ｄに注がれる。また、この水路１５には銀を添付の珊瑚セラミック粒集合体１６設けられていて、水の腐敗を防いでいる。
【００１４】
以下に、本発明にかかる珊瑚から発生のマイナスイオンを頭髪に放出する育毛装置の作用とイオン発生作用機序を説明する。まず、（式１）に示すように、炭酸カルシウムを含む風化珊瑚セラミックは、水中で超音波等の外力があればカルシウムイオンと炭酸イオンに解離する。
【００１５】
ＣａＣＯ3    ←→  Ｃａ2＋  ＋  ＣＯ32−                                                        （式１）
【００１６】
水溶液では水の分子と水素イオン（Ｈ＋）と水酸イオン(ＯＨ−）の間に（式２）の平衡がつねに成立している。
【００１７】
Ｈ2Ｏ  ←→  Ｈ＋  ＋  ＯＨ−                                     （式２）
【００１８】
外力の超音波振動力により、水分子は水のクラスター構造、即ち水の分子が複合的についたイオンクラスター複合体として次の（式３）で示される。ここでＯＨ-（Ｈ２Ｏ）ｎ
を水付き機能生理活性負イオンという。
【００１９】
（Ｈ３Ｏ）（Ｈ２Ｏ）ｎ    ←→  Ｈ−（Ｈ２Ｏ）ｎ  ＋  ＯＨ−（Ｈ２Ｏ）ｎ  （式３）
【００２０】
（式１）にあるが、発生した炭酸ガスは、水溶液に溶けるとＨ２Ｏと可逆的に結合して炭酸（Ｈ2ＣＯ3）となり、これが酸として（式４）のように水素イオン（Ｈ＋）重炭酸イオ
ン（ＨＣＯ３）に可逆的に解離する。ここでＣＯ２とＨ２ＣＯ３を一緒にして解離炭酸、ＨＣＯ３−を結合炭酸イオンをいう。
【００２１】
ＣＯ２  ＋  Ｈ２Ｏ  ←→  Ｈ２ＣＯ３−  ＋  Ｈ＋                      （式４）
【００２２】
炭酸に第２段の解離はＨＣＯ３−が酸となって次ぎのように行われる。
【００２３】
ＨＣＯ３  ←→  Ｈ  ＋  ＣＯ３２−                                                                    （式５）
【００２４】
以上のイオンの構成によって炭酸の第１段の熱学的解離定数（Ｋ１）は次の式で定理される。
【００２５】
Ｋ１    ＝  ［（Ｈ＋）（ＨＣＯ３−）］／［（ＣＯ２）］
ｐＨ  ＝  ｐＫ１  ＋  log［ＨＣＯ３−）］／［（ＣＯ２）］          （式６）
【００２６】
水溶液に酸が加えられてＨ＋が増加すれば、ＯＨ−が低下、もしアルカリが加えられＯＨ−が増加したとき、Ｈ＋が低下した状態で平衝する。人体の生理的な水溶液の濃度（ｐＨ値）は−log[Ｈ＋]あるいは、ｐＫ ＋ log{[ＨＣＯ３−]/[ＣＯ２]} であらわされるが、例えば、血液のｐＨ値は平均約7.4である。
【００２７】
生体内におけるｐＨ値を恒常に保つために、生体には種々のｐＨ暖衝系は備わっている。血液と間質液における主要な暖衝系はＣＯ２＋Ｈ２Ｏ  ←→  ＨＣＯ３−  ＋ Ｈ＋のシステムである。ということで、食物接種及び物質代謝による生体機能的な恒常性、すなわち、酸−塩基平衡性は、ＨＣＯ３−、Ｈ＋、ＣＯ３、ＯＨ−  というイオンによって調節されるので、機能生理活性イオンと呼ばれる。空気中に、このような機能生理活性負イオンを発生させ、人体の恒常性を維持させようとすることが本発明の主旨である。
【００２８】
上述のごとく、その別な実施例では、この負イオン霧滴を含んだ空気Ａは、上記の二重円心管（１４ａ、１４ｃ）から成る空気流通路１４ｂを上記のファンＦによりつむじ風のように螺旋状に回転上昇しながら急速に通過し、空気排出口１４ｅから外部に放出される。このとき、この空気Ａのイオン粒子は、ブラウン運動により激しく衝突や結合と移動運動をして、ランジェバンイオン(0.025〜0.055μｍ)や大イオン(0.025μｍ)と中イオン(0.001〜0.025μｍ)などが取り除かれて、人体によい影響を与える小イオンのみが空中に放出される。
【産業上の利用可能性】
【００２９】
医療分野での利用のみでなく、美容院や理髪店などの広い分野に利用可能である。
【図面の簡単な説明】
【００３０】
【図１】本発明にかかる珊瑚から発生のマイナスイオンを頭髪に放出する育毛装置の一実施例の側面図を示したものである。
【図２】図１のものの正面図を示したものである。
【図３】図１に示したサンゴ利用マイナスイオン発生手段の構造図である。
【符号の説明】
【００３１】
１０  サンゴ利用マイナスイオン発生手段
11ａ  珊瑚セラミック粒集合体
１２  着脱水容器
１３  超音波発振器
１４  小イオン選別手段
14ａ  マイナスイオン霧滴収納室
14ｂ  マイナスイオン霧滴通路
14ｃ  円筒
14ｄ  貯留部
２０  マイナスイオン振りかけ手段
２１  導管
２２  マイナスイオン放出頭髪カプセル
Ａ    マイナスイオン霧滴
Ｆ    ファン
【図１】
2006239209.tif 000003
【図２】
2006239209.tif 000004
【図３】
2006239209.tif 000005